(57)【要約】【課題】より良好な状態を維持し易いベッドボード及びベッド装置を提供する。【解決手段】実施形態によれば、ベッドボードは、ベッド装置のベッドボードである。ベッドボードは、第１ボード部を含む。前記第１ボード部は、第１部材及び第２部材を含む。前記第１部材は、第１面を含み、前記ベッド装置のベッド部に取り付けられることが可能である。前記第２部材は、前記第１面の少なくとも一部に着脱可能に設けられる。【選択図】図１
2020199074.tif 000002
【特許請求の範囲】
【請求項１】
ベッド装置のベッドボードであって、
第１面を含み前記ベッド装置のベッド部に取り付けられることが可能な第１部材と、
前記第１面の少なくとも一部に着脱可能に設けられた第２部材と、
を含む第１ボード部を備えたベッドボード。
【請求項２】
前記第２部材の材質は、前記第１部材の材質とは異なる請求項１記載のベッドボード。
【請求項３】
前記第１部材は、前記ベッド部の外側の第２面をさらに含む、請求項１または２に記載のベッドボード。
【請求項４】
第３面を含み前記ベッド部に取り付けられることが可能な第３部材と、
前記第３面の少なくとも一部に着脱可能に設けられた第４部材と、
を含む第２ボード部をさらに備えた、
請求項１〜３のいずれか１つに記載のベッドボード。
【請求項５】
前記第３部材は、第４面をさらに含み、
前記第１部材が前記ベッド部に取り付けられたときに、前記第１面は、前記ベッド部側にあり、
前記第３部材が前記ベッド部に取り付けられたときに、前記第４面は、前記ベッド部側にある、請求項４記載のベッドボード。
【請求項６】
ベッド装置のベッドボードであって、
第１面と、第２面と、第１側面と、を含む第１部材であって、前記第１側面を含む面は、前記第１面を含む面及び前記第２面を含む面と交差する、前記第１部材と、
第２部材と、
を含む第１ボード部を備え、
前記第２部材は、前記第１面に対向する第１対向部と、前記第２面に対向する第２対向部と、前記第１側面に対向し前記第１対向部及び前記第２対向部と連続する第１対向側面部と、を含む、ベッドボード。
【請求項７】
第３面と、第４面と、第２側面と、を含む第３部材であって、前記第２側面を含む面は、前記第３面を含む面及び前記第４面を含む面と交差する、前記第３部材と、
第４部材と、
を含む第２ボード部をさらに備え、
前記第４部材は、前記第３面に対向する第３対向部と、前記第４面に対向する第４対向部と、前記第２側面に対向し前記第３対向部及び前記第４対向部と連続する第２対向側面部と、を含む、請求項６記載のベッドボード。
【請求項８】
前記第４部材は、前記第２部材と同一である、請求項７記載のベッドボード。
【請求項９】
請求項１〜８のいずれか１つに記載のベッドボードと、
前記ベッド部と、
を備えたベッド装置。
【発明の詳細な説明】
【技術分野】
【０００１】
本発明の実施形態は、ベッドボード及びベッド装置に関する。
【背景技術】
【０００２】
ベッドボード及びベッド装置において、より良好な状態を維持し易いことが望まれる。
【先行技術文献】
【特許文献】
【０００３】
【特許文献１】特開２０１６−００２１７５号公報
【発明の概要】
【発明が解決しようとする課題】
【０００４】
本発明の実施形態は、より良好な状態を維持し易いベッドボード及びベッド装置を提供する。
【課題を解決するための手段】
【０００５】
実施形態によれば、ベッドボードはベッド装置のベッドボードである。前記ベッドボードは、第１ボード部を含む。前記第１ボード部は、第１部材及び第２部材を含む。前記第１部材は、第１面を含み、前記ベッド装置のベッド部に取り付けられることが可能である。前記第２部材は、前記第１面の少なくとも一部に着脱可能に設けられる。  
実施形態によれば、ベッドボードはベッド装置のベッドボードである。前記ベッドボードは、第１ボード部を含む。前記第１ボード部は、第１部材及び第２部材を含む。前記第１部材は、第１面と、第２面と、前記第１面を含む面及び前記第２面を含む面と交差する第１側面と、を含む。前記第２部材は、前記第１面に対向する第１対向部と、前記第２面に対向する第２対向部と、前記第１側面に対向し、前記第１対向部及び前記第２対向部と連続する第１対向側面部と、を含む。
【発明の効果】
【０００６】
本発明の実施形態は、より良好な状態を維持し易いベッドボード及びベッド装置を提供できる。
【図面の簡単な説明】
【０００７】
【図１】図１（ａ）〜図１（ｇ）は、第１実施形態に係るベッドボード及びベッド装置を例示する模式図である。
【図２】図２は、第１実施形態に係るベッドボード及びベッド装置を例示する模式的斜視図である。
【図３】図３（ａ）及び図３（ｂ）は、第１実施形態に係るベッドボード及びベッド装置を例示する模式的斜視図である。
【図４】図４（ａ）及び図４（ｂ）は、第１実施形態に係るベッドボードを例示する模式的斜視図である。
【図５】図５（ａ）及び図５（ｂ）は、第１実施形態に係るベッドボードを例示する模式的斜視図である。
【図６】図６（ａ）〜図６（ｃ）は、第２実施形態に係るベッドボード及びベッド装置を例示する模式図である。
【図７】図７（ａ）及び図７（ｂ）は、第２実施形態に係るベッドボードを例示する模式的断面図である。
【発明を実施するための形態】
【０００８】
以下に、本発明の実施形態について図面を参照しつつ説明する。  
図面は模式的または概念的なものである。本願明細書と各図において、既出の図に関して前述したものと同様の要素には同一の符号を付して詳細な説明は適宜省略する。
【０００９】
（第１実施形態）  
図１（ａ）〜図１（ｇ）は、第１実施形態に係るベッドボード及びベッド装置を例示する模式図である。  
図２は、第１実施形態に係るベッドボード及びベッド装置を例示する模式的斜視図である。  
図１（ａ）は、模式的斜視図である。図１（ｂ）は、ベッドボードに含まれる部材を分離した状態を示す斜視図である。図１（ｃ）及び図１（ｄ）は、断面図である。図１（ｅ）は、ベッドボードに含まれる別の部材を分離した状態を示す斜視図である。図１（ｆ）及び図１（ｇ）は、断面図である。図２は、図１（ａ）とは異なる方向からみたときの斜視図である。
【００１０】
図１（ａ）に示すように、実施形態に係るベッドボード１１０は、ベッド装置２１０に取り付けられることが可能である。例えば、ベッド装置２１０に、フレーム７５（例えば、ベースフレーム７５Ｓ及びベッドフレーム７５Ｂなど）が取り付けられる。ベッドフレーム７５Ｂは、ベースフレーム７５Ｓに取り付けられる。ベースフレーム７５Ｓを基準にしたベッドフレーム７５Ｂの高さは、可変でも良い。
【００１１】
ベッドボード１１０は、第１ボード部１１を含む。第１ボード部１１は、フレーム７５（例えばベッドフレーム７５Ｂ）に取り付けられる。
【００１２】
ベッドボード１１０は、第２ボード部１２を含んでも良い。第２ボード部１２は、フレーム７５（例えば、ベッドフレーム７５Ｂ）に取り付けられる。
【００１３】
ベッド装置２１０は、例えば、ベッド部７０Ｂ及びベッドボード１１０を含む。ベッド部７０Ｂは、フレーム７５（ベースフレーム７５Ｓ及びベッドフレーム７５Ｂ）を含む。
【００１４】
ベッド装置２１０を使用者が使用するときにおいて、頭から下への方向をＸ軸方向とする。仰向けになったときにおいて、右から左への方向をＹ軸方向とする。重力を基準にして下から上への方向をＺ軸方向とする。
【００１５】
第１ボード部１１は、例えば、ヘッドボードである。第２ボード部１２は、例えばフットボードである。第１ボード部１１がベッド部７０Ｂのフレーム７５Ｂに取り付けられたときに、第１ボード部１１は、実質的に、Ｚ−Ｙ平面に沿う。第２ボード部１２がベッドフレーム７５Ｂに取り付けられたときに、第２ボード部１２は、実質的に、Ｚ−Ｙ平面に沿う。
【００１６】
図１（ａ）に示すように、第１ボード部１１は、第１部材２１、第２部材２２及び第１接続部材４１を含む。第１部材２１は、第１面２１ａ及び第２面２１ｂを含む。第２面２１ｂは、第１面２１ａの反対側である。第１ボード部１１がベッドフレーム７５Ｂに取り付けられたときに、第１面２１ａ及び第２面２１ｂは、Ｚ−Ｙ平面に沿う。
【００１７】
第１接続部材４１は、第１部材２１に固定される。この例では、第１接続部材４１は、第１面２１ａに設けられている。例えば、第１接続部材４１は、第１部材２１の下側の部分に設けられる。第１接続部材４１は、ベッド（例えばベッド部７０Ｂ）と接続可能である。第１接続部材４１は、ベッド部７０Ｂのフレーム７５（例えば、ベッドフレーム７５Ｂ）と接続可能である。第１接続部材４１は、ベッド部７０Ｂの他のフレームに接続されても良い。
【００１８】
この例では、上記のベッド装置２１０（ベッド部７０Ｂ）は、第１接続部品６１を含む。第１接続部品６１は、フレーム７５（例えばベッドフレーム７５Ｂ）の頭側の端部７５Ｂａに設けられる。第１接続部材４１は、第１接続部品６１と接続可能である。第１接続部材４１が第１接続部品６１から取り外された状態の例については、後述する。
【００１９】
第２部材２２は、第１部材２１の第１面２１ａの少なくとも一部に着脱可能に設けられる。第２部材２２は、例えば、板状である。第２部材２２の材質は、第１部材２１の材質と異なる。第２部材２２は、第１部材２１よりも柔らかい。第２部材２２は、例えば、第２面２１ｂよりも柔らかい。第２部材２２は、例えば、第１面２１ａよりも柔らかい。
【００２０】
図１（ａ）に示すように、第１接続部材４１が、ベッド部７０Ｂのフレーム７５（ベッドフレーム７５Ｂ）に接続されたときに、第１面２１ａは、ベッド部７０Ｂ側にある。第１面２１ａは、フレーム７５側（ベッドフレーム７５Ｂ側）にある。第１面２１ａは、ベッド部７０Ｂの内側を向く。一方、第２面２１ｂは、ベッド部７０Ｂの外側を向く。第２面２１ｂは、ベッド部７０Ｂの外側用のベッドボードである。
【００２１】
実施形態に係るベッドボード１１０の第１ボード部１１において、ベッド部７０Ｂの内側に第１面２１ａがあり、その第１面２１ａに、柔らかい第２部材２２が設けられる。これにより、ベッド部７０Ｂにいる使用者は、快適である。一方、ベッド部７０Ｂの外側に硬い第２面２１ｂがある。ベッド部７０Ｂの外側には、各種の機材などがある場合がある。ベッド部７０Ｂの外側の第２面２１ｂが硬いことで、機材などの第２面２１ｂへの接触に起因した第２面２１ｂの傷が抑制できる。第２面２１ｂの損傷が抑制できる。
【００２２】
ベッド部７０Ｂの内側の第２部材２２は、汚れやすい。例えば、使用者などの食事の一部が、第２部材２２に付着する場合がある。使用者などの体液や汚物が第２部材２２に付着する場合がある。
【００２３】
実施形態においては、第２部材２２は、第１部材２１から取り外すことができる。これにより、第２部材２２の交換が容易である。第２部材２２の清掃または消毒が容易である。清潔な状態を維持し易い。
【００２４】
このような第１ボード部１１が、例えば、使用者の頭側に設けられる。使用者の頭側は、足側に比べて汚れやすい。実施形態においては、上記のような第１ボード部１１を頭側に設けることで、快適な使用感を使用者に与えることができる。特に汚れやすい内側を清潔に維持し易い。第１ボード部１１の第２面２１ｂの損傷が抑制できる。実施形態によれば、より良好な状態を維持し易いベッドボード及びベッド装置を提供できる。
【００２５】
第１接続部材４１は、第１接続部品６１に着脱可能に接続される。これにより、第１ボード部１１のメンテナンスがより容易になる。例えば、第２部材２２の取り外しなどが容易になる。例えば、柔らかい部材（例えば、第２部材２２など）は、第２面２１ｂに設けられなくても良い。これにより、部材が省略でき、例えば、価格の上昇が抑制される。
【００２６】
図１（ａ）及び図２に示すように、第２ボード部１２は、第３部材２３、第２接続部材４２、及び、第４部材２４を含む。第３部材２３は、第３面２３ｃ及び第４面２３ｄを含む。第４面２３ｄは、第３面２３ｃの反対である。第２ボード部１２がベッド部７０Ｂに取り付けられたときに、第３面２３ｃ及び第４面２３ｄは、Ｚ−Ｙ平面に沿う。第２ボード部１２がベッドフレーム７５Ｂに取り付けられたときに、第３面２３ｃ及び第４面２３ｄは、Ｚ−Ｙ平面に沿う。
【００２７】
図２に示すように、第２接続部材４２は、第３部材２３に固定される。この例では、第２接続部材４２は、第４面２３ｄに設けられている。例えば、第２接続部材４２は、第３部材２３の下側の部分に設けられる。第２接続部材４２は、ベッド部７０Ｂと接続可能である。第２接続部材４２は、フレーム７５（例えば、ベッドフレーム７５Ｂ）と接続可能である。
【００２８】
この例では、ベッド装置２１０は、第２接続部品６２を含む。第２接続部品６２は、フレーム７５（例えば、ベッドフレーム７５Ｂ）の足側の端部７５Ｂｂに設けられる。第２接続部材４２は、第２接続部品６２に接続される。
【００２９】
第４部材２４は、第３面２３ｃの少なくとも一部に着脱可能に設けられる。第４部材２４は、例えば、板状である。第４部材２４の材質は、第３部材２３の材質と異なる。第４部材２４は、第３部材２３よりも柔らかい。例えば、第４部材２４は、第４面２３ｄよりも柔らかい。例えば、第４部材２４は、第３面２３ｃよりも柔らかい。
【００３０】
第２接続部材４２がベッド部７０Ｂのフレーム７５（例えば、ベッドフレーム７５Ｂ）に接続されたときに、第４面２３ｄは、ベッド部７０Ｂ側にある。第４面２３ｄは、フレーム７５側にある。
【００３１】
例えば、柔らかい第４部材２４は、ベッド部７０Ｂの外側を向く。これにより、ベッド装置２１０の使用者の介護者など（医師なども含む）がベッド装置２１０に近づいてベッド装置２１０に接触したときに、介護者などが、第４部材２４により保護される。介護者などが良好な状態でベッド装置２１０に近づくことができる。
【００３２】
ベッド部７０Ｂの足側の外側に各種の機材などが接触する場合が多い。このため、ベッド部７０Ｂの足側の外側において、損傷が生じやすい。実施形態においては、外側に設けられる第４部材２４は、第３部材２３から取り外すことができる。これにより、第４部材２４の交換が容易である。実施形態によれば、より良好な状態を維持し易いベッドボード及びベッド装置を提供できる。
【００３３】
図１（ａ）に示すように、第２部材２２及び第４部材２４は、ベッド部７０Ｂの頭側から足側への方向を向いている。例えば、ベッド装置２１０の使用者の家族などが、ベッド装置２１０の足側からベッド装置２１０に近づいた場合、家族などは、第２部材２２及び第４部材２４を見る。例えば、ベッド装置２１０を足側からみたときのデザインが、ベッド装置２１０を頭側からみたときのデザインとは異なる。足側からみたときに、第２部材２２及び第４部材２４を見ることで、ベッド装置２１０のデザインにおいて、統一性が得られる。例えば、ベッド装置２１０は意匠性に優れ、高級感が得られる。
【００３４】
第１部材２１及び第３部材２３には、例えば、木材などが用いられても良い。良好な機械的な強度と、優れた意匠性と、が得られる。第１部材２１及び第３部材２３には、樹脂などが用いられても良い。第２部材２２及び第４部材２４には、例えば、ウレタン樹脂などの柔らかい材料を含む。第２部材２２及び第４部材２４の材料及び色などは、使用者の好みなどに合わせて、適切に定められても良い。ベッド装置２１０が介護施設また病院などに設けられる場合、病室またはフロアの違いなどにより、第２部材２２及び第４部材２４の色などが定められても良い。より使いやすいベッドボード及びベッド装置が提供できる。例えば、柔らかい部材（例えば、第４部材２４など）は、第４面２３ｄに設けられなくても良い。これにより、部材が省略でき、例えば、価格の上昇が抑制される。
【００３５】
図１（ｂ）は、第２部材２２を第１部材２１から取り外したときの状態を例示している。第１部材２１の第１面２１ａは、第１凹部２１Ｄを含んでも良い。図１（ａ）及び図１（ｂ）に示すように、第２部材２２の少なくとも一部は、第２部材２２が第１部材２１に取り付けられたときに、第１凹部２１Ｄにある。例えば、第２部材２２を第１部材２１に安定して取り付けることができる。
【００３６】
図１（ｂ）及び図１（ｃ）に示すように、第１部材２１は、第１面ファスナ２１Ｐを含んでも良い。第１面ファスナ２１Ｐは、例えば、第１凹部２１Ｄに設けられる。図１（ｂ）及び図１（ｄ）に示すように、第２部材２２は、第２面ファスナ２２Ｑを含む。第２面ファスナ２２Ｑは、第１面ファスナ２１Ｐと結合可能である。第１面ファスナ２１Ｐ及び第２面ファスナ２２Ｑにより、適度な強度で、第１部材２１及び第２部材２２が互いに結合される。第１部材２１に対する第２部材２２の位置が、安定する。適度な力により、第２部材２２を第１部材２１から分離することができる。
【００３７】
図１（ｄ）に示すように、この例では、第２部材２２は、板部２２ｐ、層２２ｑ及び層２２ｒを含む。第２面ファスナ２２Ｑと層２２ｒとの間に、板部２２ｐがある。板部２２ｐと層２２ｒとの間に層２２ｑがある。板部２２ｐは、例えば、木材または樹脂などを含む。層２２ｑは、例えば、ウレタン樹脂などを含む。層２２ｒは、例えば、塩化ビニル樹脂などを含む。板部２２ｐにより、十分な機械的な強度が得られる。層２２ｑにより、良好なクッション性が得られる。層２２ｒにより、表面を清潔に維持し易い。清掃が簡単になる。
【００３８】
図１（ｅ）は、第４部材２４を第３部材２３から取り外したときの状態を例示している。第３部材２３の第３面２３ｃは、第２凹部２３Ｄを含んでも良い。図１（ｅ）及び図１（ａ）に示すように、第４部材２４の少なくとも一部は、第４部材２４が第３部材２３に取り付けられたときに、第２凹部２３Ｄにある。例えば、第４部材２４を第３部材２３に安定して取り付けることができる。
【００３９】
図１（ｅ）及び図１（ｆ）に示すように、第３部材２３は、第３面ファスナ２３Ｒを含んでも良い。第３面ファスナ２３Ｒは、例えば、第２凹部２３Ｄに設けられる。図１（ｅ）及び図１（ｇ）に示すように、第４部材２４は、第４面ファスナ２４Ｓを含む。第４面ファスナ２４Ｓは、第３面ファスナ２３Ｒと結合可能である。第３面ファスナ２３Ｒ及び第４面ファスナ２４Ｓにより、適度な強度で、第３部材２３及び第４部材２４が互いに結合される。第３部材２３に対する第４部材２４の位置が、安定する。適度な力により、第４部材２４を第３部材２３から分離することができる。
【００４０】
図１（ｇ）に示すように、この例では、第４部材２４は、板部２４ｐ、層２４ｑ及び層２４ｒを含む。第４面ファスナ２４Ｓと層２４ｒとの間に、板部２４ｐがある。板部２４ｐと層２４ｒとの間に層２４ｑがある。板部２４ｐは、例えば、木材または樹脂などを含む。層２４ｑは、例えば、ウレタン樹脂などを含む。層２４ｒは、例えば、塩化ビニル樹脂などを含む。板部２４ｐにより、十分な機械的な強度が得られる。層２４ｑにより、良好なクッション性が得られる。層２４ｒにより、表面を清潔に維持し易い。清掃が簡単になる。
【００４１】
図１（ａ）に例示すように、この例では、第１ボード部１１の高さ方向（Ｚ軸方向）の長さは、第２ボード部１２の高さ方向（Ｚ軸方向）の長さよりも長い。第１ボード部１１の上端は、第２ボード部１２の上端よりも高い。実施形態において、第１ボード部１１の上端の高さが、第２ボード部１２の上端の高さと実質的に同じでも良い。
【００４２】
第１ボード部１１の上端と、第２部材１２の上端と、の間のＺ軸方向の長さを長さｈｈとする。第２ボード部１２の上端と、第４部材２４の上端と、の間のＺ軸方向の長さを長さｈｆとする。この例では、長さｈｈは、長さｈｆと実質的に同じである。実施形態において、長さｈｈは、長さｈｆと異なっても良い。
【００４３】
図３（ａ）及び図３（ｂ）は、第１実施形態に係るベッドボード及びベッド装置を例示する模式的斜視図である。  
これらの図は、第１ボード部１１及び第２ボード部１２が、フレーム７５から取り外された状態を例示している。図３（ｂ）は、図３（ａ）とは異なる方向からみたときの斜視図である。
【００４４】
図３（ａ）に示すように、ベッド装置２１０は、フレーム７５の頭側の端部７５Ｂａに設けられた第１接続部品６１を含む。第１接続部材４１は、第１接続部品６１に着脱可能に接続される。ベッド装置２１０は、フレーム７５の足側の端部７５Ｂｂに設けられた第２接続部品６２を含む。第２接続部材４２は、第２接続部品６２に着脱可能に接続される。
【００４５】
図４（ａ）及び図４（ｂ）は、第１実施形態に係るベッドボードを例示する模式的斜視図である。  
図４（ａ）に示すように、ベッドボード１１１において、第２部材２２は、第１側面部分２２ｅａ及び第２側面部分２２ｅｂを含む。第１側面部分２２ｅａ及び第２側面部分２２ｅｂは、例えば、第１面２１ａを含む面と交差する。第１面２１ａを含む面は、第１ボード部１１がフレーム７５に取り付けられた状態（図１（ａ）の状態）において、Ｚ−Ｙ平面に沿う。第１凹部２１Ｄは、第１凹部側面２１ｅａ及び第２凹部側面２１ｅｂを含む。第１凹部側面２１ｅａ及び第２凹部側面２１ｅｂは、例えば、第１面２１ａを含む面と交差する。
【００４６】
第１側面部分２２ｅａは、第２部材２２の少なくとも一部が第１凹部２１Ｄにあるとき（図４（ａ）の状態）に、第１凹部側面２１ｅａと対向する。第２側面部分２２ｅｂは、第２部材２２の少なくとも一部が第１凹部２１Ｄにあるときに、第２凹部側面２１ｅｂと対向する。第１側面部分２２ｅａと第１凹部側面２１ｅａとの間の距離（隙間の幅）は、第２側面部分２２ｅｂと第２凹部側面２１ｅｂとの間の距離（隙間の幅）よりも長い。このように、隙間の幅が異なる部分が設けられる。隙間の幅は広い部分は、孔２１Ｈである。孔２１Ｈの幅（この例では、Ｚ軸方向の長さ）は、例えば、５ｍｍ以上３０ｍｍ以下であり、例えば、指などが入る程度以上である。
【００４７】
このような、第１側面部分２２ｅａ、第２側面部分２２ｅｂ、第１凹部側面２１ｅａ及び第２凹部側面２１ｅｂを設けることで、第１部材２１から第２部材２２を取り外すことが容易になる。
【００４８】
第１側面部分２２ｅａ、第２側面部分２２ｅｂ、第１凹部側面２１ｅａ及び第２凹部側面２１ｅｂは、第１面２１ａを含む面と交差する任意の方向に沿って良い。
【００４９】
図４（ｂ）に示すように、ベッドボード１１１において、第４部材２４は、第３側面部分２４ｅａ及び第４側面部分２４ｅｂを含む。第３側面部分２４ｅａ及び第４側面部分２４ｅｂは、例えば、第３面２３ｃを含む面と交差する。第３面２３ｃを含む面は、第２ボード部１２がフレーム７５に取り付けられた状態（図１（ａ）の状態）において、Ｚ−Ｙ平面に沿う。第２凹部２３Ｄは、第３凹部側面２３ｅａ及び第４凹部側面２３ｅｂを含む。第３凹部側面２３ｅａ及び第４凹部側面２３ｅｂは、例えば、第３面２３ｃを含む面と交差する。
【００５０】
第３側面部分２４ｅａは、第４部材２４の少なくとも一部が第２凹部２３Ｄにあるとき（図４（ｂ）の状態）に、第３凹部側面２３ｅａと対向する。第４側面部分２４ｅｂは、第４部材２４の少なくとも一部が第２凹部２３Ｄにあるとき（図４（ｂ）の状態）に、第４凹部側面２３ｅｂと対向する。第３側面部分２４ｅａと第３凹部側面２３ｅａとの間の距離（隙間の幅）は、第４側面部分２４ｅｂと第４凹部側面２３ｅａとの間の距離（隙間の幅）よりも長い。このように、隙間の幅が異なる部分が設けられる。隙間の幅が広い部分は、孔２３Ｈに対応する。孔２３Ｈの幅（この例では、Ｙ軸方向の長さ）は、例えば、５ｍｍ以上３０ｍｍ以下であり、例えば、指などが入る程度以上である。
【００５１】
このような、第３側面部分２４ｅａ、第４側面部分２４ｅｂ、第３凹部側面２３ｅａ及び第４凹部側面２３ｅｂを設けることで、第３部材２３から第４部材２４を取り外すことが容易になる。
【００５２】
第３側面部分２４ｅａ、第４側面部分２４ｅｂ、第３凹部側面２３ｅａ及び第４凹部側面２３ｅｂは、第３面２３ｃを含む面と交差する任意の方向に沿って良い。
【００５３】
第４部材２４の端部の位置が、第３部材２３の端部と実質的に重なる場合、孔２３Ｈは設けられなくても良い。
【００５４】
図５（ａ）及び図５（ｂ）は、第１実施形態に係るベッドボードを例示する模式的斜視図である。  
図５（ａ）に示すように、ベッドボード１１２において、第２部材２２は、第１突出部２２Ｔを含んでも良い。第２部材２２が第１部材２１に取り付けられたときに、第１突出部２２Ｔは、第１部材２１から突出する。例えば、作業者は、第１突出部２２Ｔを引っ張る。これにより、第２部材２２を第１部材２１から容易に分離することができる。第１突出部２２Ｔは、例えば、紐状またはテープ状である。
【００５５】
図５（ｂ）に示すように、ベッドボード１１２において、第４部材２４は、第２突出部２４Ｔを含んでも良い。第４部材２４が第３部材２３に取り付けられたときに、第２突出部２４Ｔは、第３部材２３から突出する。例えば、作業者は、第２突出部２４Ｔを引っ張る。これにより、第４部材２４を第３部材２３から容易に分離することができる。第２突出部２４Ｔは、例えば、紐状またはテープ状である。
【００５６】
実施形態において、第２部材２２を第１部材２１から分離し易くする構造として、任意の構成を採用できる。例えば、第１部材２１に孔が設けられ、孔を介して、第２部材２２を押すことで、第２部材２２を第１部材２１から容易に分離することができる。
【００５７】
実施形態において、第４部材２４を第３部材２３から分離し易くする構造として、任意の構成を採用できる。例えば、第３部材２３に孔が設けられ、孔を介して、第４部材２４を押すことで、第４部材２４を第３部材２３から容易に分離することができる。
【００５８】
第１実施形態において、フットボードとして上記のような第２ボード部１２が設けられ、ヘッドボードとして任意のボード部が設けられても良い。この場合、第２ボード部１２の第３部材２３、第２接続部材４２及び第４部材２４を「第１部材」、「第１接続部材」及び「第２部材」と読み替えても良い。例えば、実施形態に係るベッドボードは、第１ボード部（第２ボード部１２）を含む。第１ボード（第２ボード部１２）は、第１部材（第３部材２３）、第１接続部材（第２接続部材４２）、及び、第２部材（第４部材２４）を含む。第１部材（第３部材２３）は、第１面（第３面２３ｃ）と、第２面（第４面２３ｄ）と、を含む。第１接続部材（第２接続部材４２）は、第１部材（第３部材２３）に固定され、ベッド装置２１０（例えばベッド部７０Ｂ）のベッド部７０Ｂと接続可能である。第２部材（第４部材２４）は、第１面（第３面２３ｃ）の少なくとも一部に着脱可能に設けられる。第２部材（第４部材２４）の材質は、第１部材（第３部材２３）の材質と異なる。第１接続部材（第２接続部材４２）がベッド部７０Ｂに接続されたときに、第２面（第４面２３ｄ）は、ベッド部７０Ｂ側にある。この場合も、より良好な状態を維持し易いベッドボード及びベッド装置を提供できる。
【００５９】
第４部材２４の形状は、第２部材２２の形状と実質的に同一にしても良い。第２部材２２と第４部材２４とを、兼用可能な同一の形状としても良い。例えば、ベッド使用者が第２部材２２の汚れを気にしたとき、汚れが少ない第４部材２４と交換することができる。第２部材２２と第４部材２４とは、共通の部品でも良い。第２部材２２と第４部材２４とが共通の部品であることで、例えば、優れた意匠性が得られる。第２部材２２と第４部材２４とが共通の部品であると、例えば、コストを低減できる。
【００６０】
（第２実施形態）  
図６（ａ）〜図６（ｃ）は、第２実施形態に係るベッドボード及びベッド装置を例示する模式図である。  
図６（ａ）は、模式的斜視図である。図６（ｂ）は、ベッドボードに含まれる部材を分離した状態を示す斜視図である。図６（ｃ）は、ベッドボードに含まれる別の部材を分離した状態を示す斜視図である。
【００６１】
図６（ａ）に示すように、第２実施形態に係るベッドボード１２０は、第１ボード部１１を含む。第１ボード部１１は、第１部材３１、第１接続部材４１及び第２部材３２を含む。図６（ｂ）は、第１部材３１から第２部材３２を分離した状態を例示している。
【００６２】
図６（ｂ）に示すように、第１部材３１は、第１面３１ａ、第２面３１ｂ、及び、第１側面３１ｓｆを含む。第２面３１ｂは、第１面３１ａの反対である。例えば、第１側面３１ｓｆは、第１面３１ａを含む面、及び、第２面３１ｂを含む面と交差する。例えば、第１側面３１ｓｆを含む面は、第１面３１ａを含む面、及び、第２面３１ｂを含む面と交差する。第１ボード部１１が、ベッド部７０Ｂのフレーム７５に取り付けられたときに、第１面３１ａを含む面、及び、第２面３１ｂを含む面は、Ｚ−Ｙ平面に沿う。
【００６３】
この例では、第１側面３１ｓｆは、側面３１ｆａ、側面３１ｆｂ、側面３１ｆｃ及び側面３１ｆｄを含む。側面３１ｆａ及び側面３１ｆｂは、例えば、Ｚ軸方向に沿って延びる。側面３１ｆａから側面３１ｆｂへの方向は、例えばＹ軸方向に沿う。側面３１ｆｃ及び側面３１ｆｄは、例えば、Ｙ軸方向に沿って延びる。側面３１ｆｄから側面３１ｆｃへの方向は、例えばＺ軸方向に沿う。第１側面３１ｓｆは、側面３１ｆａ、側面３１ｆｂ、側面３１ｆｃ及び側面３１ｆｄの少なくとも１つで良い。
【００６４】
第１接続部材４１は、第１部材３１に固定される。第１接続部材４１は、第１部材３１の下側の部分に設けられる。第１接続部材４１は、ベッド（例えば、ベッド部７０Ｂ）と接続可能である。例えば、第１接続部材４１は、ベッド（例えば、ベッド部７０Ｂ）のフレーム７５と接続可能である。例えば、ベッド装置２１０は、フレーム７５の端部（例えば、頭側の端部７５Ｂａ）に設けられた第１接続部品６１を含む。第１接続部材４１は、第１接続部品６１に接続される。
【００６５】
図６（ｂ）に示すように、第２部材３２は、第１対向部３２ａ、第２対向部３２ｂ、及び、第１対向側面部３２ｓｆを含む。図６（ａ）に示すように、第１対向部３２ａは、第１面３１ａに対向する。第２対向部３２ｂは、第２面３１ｂに対向する。第１対向側面部３２ｓｆは、第１側面３１ｓｆに対向する。第１対向側面部３２ｓｆは、第１対向部３２ａ及び第２対向部３２ｂと連続する。
【００６６】
この例では、第１対向側面部３２ｓｆは、対向側面部３２ｆａ、対向側面部３２ｆｂ、対向側面部３２ｆｃ及び対向側面部３２ｆｄを含む。対向側面部３２ｆａは、側面３１ｆａと対向する。対向側面部３２ｆｂは、側面３１ｆｂと対向する。対向側面部３２ｆｃは、側面３１ｆｃと対向する。対向側面部３２ｆｄは、側面３１ｆｄと対向する。
【００６７】
第２部材３２の材質は、第１部材３１の材質と異なる。第２部材３２は、第１部材３１よりも柔らかい。第２部材３２は、例えば、布またはラバーなどを含む。第１部材３１は、例えば、木材の板または樹脂の板などを含む。
【００６８】
図６（ａ）に示すように、第１接続部材４１は、第２部材３２に覆われていない。
【００６９】
例えば、図６（ｂ）に示すように、第２部材３２は、袋状である。一部が開口した状態で、第２部材３２を第１部材３１をかぶせる。例えば、第２部材３２は、第１部材３１の周りに設けられる。例えば、第１接続部材４１が設けられる部分を除いて、第２部材３２は、第１部材３１を囲む。第２部材３２に設けられる孔３２Ｈから第１接続部材４１が露出する。
【００７０】
第２部材３２が柔らかいことで、ベッド装置２１０の使用者は、快適である。第２部材３２を第１部材３１から取り外すことが可能なので、第２部材３２の交換が容易である。より良好な状態を維持し易いベッドボード及びベッド装置を提供できる。
【００７１】
図６（ａ）及び図６（ｃ）に示すように、第２ボード部１２は、第３部材３３、第２接続部材４２、及び、第４部材３４を含む。図６（ｃ）は、第４部材３４を第３部材３３から分離した状態を例示している。第２接続部材４２は、例えば、図２に関して説明した構成が適用される。
【００７２】
図６（ｃ）に示すように、第３部材３３は、第３面３３ｃ、第４面３３ｄ、及び、第２側面３３ｓｆを含む。第４面３３ｄは、第３面３３ｃの反対である。例えば、第２側面３３ｓｆは、第３面３３ｃを含む面、及び、第４面３３ｄを含む面と交差する。例えば、第２側面３３ｓｆを含む面は、第３面３３ｃを含む面、及び、第４面３３ｄを含む面と交差する。第３面３３ｃを含む面、及び、第４面３３ｄを含む面は、例えば、Ｚ−Ｙ平面に沿う。
【００７３】
この例では、第２側面３３ｓｆは、側面３３ｆａ、側面３３ｆｂ、側面３３ｆｃ及び側面３３ｆｄを含む。側面３３ｆａ及び側面３３ｆｂは、例えば、Ｚ軸方向に沿って延びる。側面３３ｆａから側面３３ｆｂへの方向は、例えばＹ軸方向に沿う。側面３３ｆｃ及び側面３３ｆｄは、例えば、Ｙ軸方向に沿って延びる。側面３３ｆｄから側面３３ｆｃへの方向は、例えばＺ軸方向に沿う。第２側面３３ｓｆは、側面３３ｆａ、側面３３ｆｂ、側面３３ｆｃ及び側面３３ｆｄの少なくとも１つで良い。
【００７４】
第２接続部材４２は、第３部材３３に固定される。第２接続部材４２は、第３部材３３の下側の部分に設けられる。第２接続部材４２は、ベッド（例えば、ベッド部７０Ｂ）のフレーム７５と接続可能である。例えば、ベッド装置２１０は、フレーム７５の端部（例えば、足側の端部７５Ｂｂ、図２参照）に設けられた第２接続部品６２を含む（図２参照）。第２接続部材４２は、第２接続部品６２に接続される。
【００７５】
第４部材３４は、第３面３３ｃに対向する第３対向部３４ｃと、第４面３３ｄに対向する第４対向部３４ｄと、第２対向側面部３４ｓｆと、を含む。第２対向側面部３４ｓｆは、第２側面３３ｓｆに対向し、第３対向部３４ｃ及び第４対向部３４ｄと連続する。
【００７６】
この例では、第２対向側面部３４ｓｆは、対向側面部３４ｆａ、対向側面部３４ｆｂ、対向側面部３４ｆｃ及び対向側面部３４ｆｄを含む。対向側面部３４ｆａは、側面３３ｆａと対向する。対向側面部３４ｆｂは、側面３３ｆｂと対向する。対向側面部３４ｆｃは、側面３３ｆｃと対向する。対向側面部３４ｆｄは、側面３３ｆｄと対向する。
【００７７】
第４部材３４の材質は、第３部材３３の材質と異なる。第４部材３４は、第３部材３３よりも柔らかい。第４部材３４は、例えば、布またはラバーなどを含む。第３部材３３は、例えば、木材の板または樹脂の板などを含む。
【００７８】
第２接続部材４２は、第４部材３４に覆われていない。例えば、第４部材３４に孔３４Ｈが設けられる。孔３４Ｈから第２接続部材４２が露出する。
【００７９】
第４部材３４が柔らかいことで、ベッド装置２１０の使用者は、快適である。第４部材３４を第３部材３３から取り外すこことが可能なので、第４部材３４の交換が容易である。より良好な状態を維持し易いベッドボード及びベッド装置を提供できる。
【００８０】
図６（ａ）に例示すように、この例では、第１ボード部１１の高さ方向（Ｚ軸方向）の長さは、第２ボード部１２の高さ方向（Ｚ軸方向）の長さよりも長い。第１ボード部１１の上端は、第２ボード部１２の上端よりも高い。実施形態において、第１ボード部１１の上端の高さが、第２ボード部１２の上端の高さと実質的に同じでも良い。
【００８１】
図７（ａ）及び図７（ｂ）は、第２実施形態に係るベッドボードを例示する模式的断面図である。  
図７（ａ）に示すように、第２部材３２が第１部材３１に取り付けられたときに、第２部材３２は、第１部材３１を上下方向で挟む。第２部材３２の位置が変化することが抑制できる。第２部材３２は、対向側面部３２ｆｅをさらに含んでも良い。例えば、対向側面部３２ｆｄは、結合部３２ｆｄＦを含む。例えば、対向側面部３２ｆｅは、結合部３２ｆｅＦを含む。結合部３２ｆｄＦ及び結合部３２ｆｅＦは、例えば面ファスナである。結合部３２ｆｄＦ及び結合部３２ｆｅＦは、互いに、着脱可能に結合する。
【００８２】
例えば、第２部材３２が第１部材３１に取り付けられたときに、第２部材３２は、第１部材３１を左右方向で挟む。
【００８３】
図７（ｂ）に示すように、第４部材３４が第３部材３３に取り付けられたときに、第４部材３４は、第３部材３３を上下方向で挟む。第４部材３４の位置が変化することが抑制できる。第４部材３４は、対向側面部３４ｆｅをさらに含んでも良い。例えば、対向側面部３４ｆｄは、結合部３４ｆｄＦを含む。例えば、対向側面部３４ｆｅは、結合部３４ｆｅＦを含む。結合部３４ｆｄＦ及び結合部３４ｆｅＦは、例えば面ファスナである。結合部３４ｆｄＦ及び結合部３４ｆｅＦは、互いに、着脱可能に結合する。
【００８４】
第４部材３４の形状は、第２部材３２の形状と実質的に同一にしても良い。第２部材３２と第４部材３４とを、兼用可能な同一の形状としても良いベッド使用者が第２部材３２の汚れを気にしたとき、汚れが少ない第４部材３４と交換することができる。第２部材２２と第４部材２４とは、共通の部品でも良い。第２部材２２と第４部材２４とが共通の部品であることで、例えば、優れた意匠性が得られる。第２部材２２と第４部材２４とが共通の部品であると、例えば、コストを低減できる。
【００８５】
実施形態によれば、より良好な状態を維持しやすいベッドボード及びベッド装置を提供できる。
【００８６】
以上、具体例を参照しつつ、本発明の実施の形態について説明した。しかし、本発明は、これらの具体例に限定されるものではない。例えば、ベッドボードに含まれるボード部、部材、接続部材、及び面ファスナなどの各要素の具体的な構成に関しては、当業者が公知の範囲から適宜選択することにより本発明を同様に実施し、同様の効果を得ることができる限り、本発明の範囲に包含される。
【００８７】
各具体例のいずれか２つ以上の要素を技術的に可能な範囲で組み合わせたものも、本発明の要旨を包含する限り本発明の範囲に含まれる。
【００８８】
その他、本発明の実施形態として上述したベッドボード及びベッド装置を基にして、当業者が適宜設計変更して実施し得る全てのベッドボード及びベッド装置も、本発明の要旨を包含する限り、本発明の範囲に属する。
【００８９】
その他、本発明の思想の範疇において、当業者であれば、各種の変更例及び修正例に想到し得るものであり、それら変更例及び修正例についても本発明の範囲に属するものと了解される。
【符号の説明】
【００９０】
１１、１２…第１、第２ボード部、  ２１〜２４…第１〜第４部材、  ２１Ｄ…第１凹部、  ２１Ｈ…孔、  ２１Ｐ…第１面ファスナ、  ２１ａ、２１ｂ…第１、第２面、  ２１ｅａ、２１ｅｂ…第１、第２凹部側面、  ２２Ｑ…第２面ファスナ、  ２２Ｔ…第１突出部、  ２２ｅａ、２２ｅｂ…第１、第２側面部分、  ２２ｐ…板部、  ２２ｑ、２２ｒ…層、  ２３Ｄ…第２凹部、  ２３Ｈ…孔、  ２３Ｒ…第３面ファスナ、  ２３ｃ、２３ｄ…第３、第４面、  ２３ｅａ、２３ｅｂ…第３、第４凹部側面、  ２４Ｓ…第４面ファスナ、  ２４Ｔ…第２突出部、  ２４ｅａ、２４ｅｂ…第３、第４側面部分、  ２４ｐ…板部、  ２４ｑ、２４ｒ…層、  ３１〜３４…第１〜第４部材、  ３１ａ、３１ｂ…第１、第２面、  ３１ｆａ〜３２ｆｄ…側面、  ３１ｓｆ…第１側面、  ３２Ｈ…孔、  ３２ａ、３２ｂ…第１対向部、  ３２ｆａ〜３２ｆｅ…対向側面部、  ３２ｆｄＦ、３２ｆｅＦ…結合部、  ３３ｃ、３３ｄ…第３、第４面、  ３３ｆａ〜３３ｆｄ…側面、  ３３ｓｆ…第２側面、  ３４Ｈ…孔、  ３４ｃ、３４ｄ…第３、第４対向部、  ３４ｆａ〜３４ｆｅ…対向側面部、  ３４ｆｄＦ、３４ｆｅＦ…結合部、  ３４ｓｆ…第２対向側面部、  ４１、４２…第１、第２接続部材、  ６１、６２…第１、第２接続部品、  ７０Ｂ…ベッド部、  ７５…フレーム、  ７５Ｂ…ベッドフレーム、  ７５Ｂａ、７５Ｂｂ…端部、  ７５Ｓ…ベースフレーム、  １１０、１１１、１１２、１２０…ベッドボード、  ２１０…ベッド装置、  ｈｆ、ｈｈ…長さ
【図１】
2020199074.tif 000003
【図２】
2020199074.tif 000004
【図３】
2020199074.tif 000005
【図４】
2020199074.tif 000006
【図５】
2020199074.tif 000007
【図６】
2020199074.tif 000008
【図７】
2020199074.tif 000009